(57)【特許請求の範囲】
【請求項１】
上部ケ−スと下面に吸込口を形成した下部ケースとで形成された吸込具本体と、前記吸込口に設けた回転子を駆動するモーターと、このモーターの回転を制御する切替えスイッチと、前記切替えスイッチ内で前後方向に摺動するアクチュエーターと、前記アクチュエーターと嵌合し、上下に摺動自在なピンを有するとともに一個のバネを収納したバネ収納部を有する摺動体と、前記摺動体と嵌合し前記吸込具本体の移動に応じて動作する動作検知片とを備え、前記アクチュエーターが前記切替えスイッチ内の前後の動作範囲の前方、後方に移動した時に前記モーターを回転させ、前後の動作範囲の略中間に位置した時に前記モーターへの電源を開路させる構成とし、また前記下部ケースには前記バネの両端に略当接する突出部を設けることで、前記動作検知片に負荷がかからないときに前記摺動体と嵌合する前記アクチュエーターを前記切替えスイッチ内の前後の動作範囲の略中間の位置に支持する構成として、前記吸込具本体を空中に持ち上げた際には、前記モーターの回転を停止させるようにし、さらに前記ピンが上下に摺動する際に前記ピンの一部がピンの端部と対向する前記吸込具本体に設けられた穴部に嵌合する構成として、前記吸込具本体を裏返した時には、前記ピンの一部が前記穴部に嵌合して、前記摺動体および摺動体に嵌合する前記アクチュエーターの前後方向の摺動を防止する電気掃除機用吸込具。
【請求項２】
内部に塵埃を集塵する集塵室と電動送風機を備えた電気掃除機本体に請求項１に記載の電気掃除機用吸込具と連通するように接続される接続口を設けた電気掃除機。
【発明の詳細な説明】
【０００１】
【産業上の利用分野】
本発明は、一般家庭において利用する電気掃除機の吸込具及び電気掃除機に関するものである。
【０００２】
【従来の技術】
従来、この種の電気掃除機の吸込具は、例えば、特開昭６３−１９７４２２の公報に示すような構成があった。その構成について、図８〜図１０において説明する。上部ケ−ス１および下部ケ−ス２からなり、下面３に吸込口４を形成した吸込具本体５と、吸込口４に設けたギヤ部を備えた回転子６と、このギヤ部を介し回転子６を駆動するモ−タ−７を設け、前記モ−タ−７の回転方向を切替える切替えスイッチ８を設け、前記切替えスイッチ８のアクチュエ−タ９を切り替えるレバ−１０を下部ケ−ス２の下面３に突出して設け、吸込具本体５の前進、後進の進行に連動して前記レバ−１０が動作して、前記モ−タ−７の回転方向が切替わる構成となっていた。
【０００３】
しかし、このような従来の構成においては、掃除していた途中で電話などがかかってきた時、うっかりして吸込具本体５をそのままにしておくと、回転子６は回転したままとなり子供が誤って吸込具本体５を床面から上げて回転子６に触ると大変危険であり、大きな怪我をすることとなる。また、モ−タ−７の回転方向を切替えるレバ−１０を下部ケ−ス２の下面３に突出して設けているため、子供が誤ってこのレバ−１０を切替えると危険は二重にも三重にもふくれ上がってくるという安全性の問題があった。
【０００４】
そこで、第９図、第１０図に示すように安全性に優れた電気掃除機の吸込具が改善、改良されてきた。
【０００５】
例えば、上部ケ−ス１および下部ケ−ス２からなり、下面３に吸込口４を形成した吸込具本体５と、吸込口４に設けたギヤ部を備えた回転子６と、このギヤ部を介し回転子６を駆動するモ−タ−７を設け、前記モ−タ−７の回転方向を切替える切替えスイッチ１７を設け、前記切替えスイッチ１７のアクチュエ−タ９を切り替えるレバ−１０を下部ケ−ス２の下面３に突出して設け、吸込具本体５の前進、後進の進行に連動して前記レバ−１０が動作して、前記モ−タ−７の回転方向が切替わり、吸込具本体５を空中に持ち上げた際には、前記レバ−１０の前進、後進時に動作した範囲のほぼ中間に位置するようにばね１９、２０等で附勢し、この時、前記モ−タ−７の回転が停止するように切替えスイッチ１７にＯＦＦのポジションを設けた構成となっていた。
【０００６】
【発明が解決しようとする課題】
このような従来の構成においては、吸込具本体５を空中に持ち上げた際にレバー１０を前進、後進時に動作した範囲のほぼ中間に位置するように附勢するバネはバネ１９、２０と２個必要であり中間に位置させるためにはバネ１９、２０のバネ定数、有効長等の精度をよくしなければならず、また量産化においてはそのバネ１９、２０の所定のバネ圧およびバネ圧のばらつきを保つためのバネ定数、有効長等の精度管理が必要となる。またバネをバネ１９、２０と２個使用するためバネの収納スペースが大きくなり吸込具の小型化に支障を与えていた。又、バネを２個組み立てるための工数もかかり、部品費用も高価なもの担っていた。本発明は、上記課題を解決するもので、バネを１個としてバネのばらつきによるレバー１０の動作不良（空中にて中間に位置せず）をなくし組立工数、部品費用も半減でき小型で安全性のよい安価な電気掃除機用吸込具を提供出来るものである。
【０００７】
【課題を解決するための手段】
上記目的を達成するために本発明は、上部ケ−スと下面に吸込口を形成した下部ケースとで形成された吸込具本体と、前記吸込口に設けた回転子を駆動するモーターと、このモーターの回転を制御する切替えスイッチと、前記切替えスイッチ内で前後方向に摺動するアクチュエーターと、前記アクチュエーターと嵌合し、上下に摺動自在なピンを有するとともに一個のバネを収納したバネ収納部を有する摺動体と、前記摺動体と嵌合し前記吸込具本体の移動に応じて動作する動作検知片とを備え、前記アクチュエーターが前記切替えスイッチ内の前後の動作範囲の前方、後方に移動した時に前記モーターを回転させ、前後の動作範囲の略中間に位置した時に前記モーターへの電源を開路させる構成とし、また前記下部ケースには前記バネの両端に略当接する突出部を設けることで、前記動作検知片に負荷がかからないときに前記摺動体と嵌合する前記アクチュエーターを前記切替えスイッチ内の前後の動作範囲の略中間の位置に支持する構成として、前記吸込具本体を空中に持ち上げた際には、前記モーターの回転を停止させるようにし、さらに前記ピンが上下に摺動する際に前記ピンの一部がピンの端部と対向する前記吸込具本体に設けられた穴部に嵌合する構成として、前記吸込具本体を裏返した時には、前記ピンの一部が前記穴部に嵌合して、前記摺動体および摺動体に嵌合する前記アクチュエーターの前後方向の摺動を防止する電気掃除機用吸込具を提供出来るものである。
【０００８】
【作用】
上記の手段の様に吸込具本体を空中に持ち上げた際には、前記レバ−の前進、後進時に動作した範囲のほぼ中間に位置するように１個のばね等で附勢し、この時、前記モ−タ−の回転が停止するように切替えスイッチにＯＦＦのポジションを設けた構成であるため、掃除していた途中で電話などがかかってきた時、うっかりして吸込具本体をそのままにしておくと、回転子は回転したままとなっているが、子供が誤って吸込具本体を床面から上げると、自動的に回転子が停止することとなり回転子に万一触れても安全である。また、子供がさらに、吸込具本体の吸込口が上に向くように裏返した時でも、切替えスイッチがＯＦＦのポジションでピンの作用により機械的にロックされるようにしているため、子供が誤ってレバ−を切替えようとしても動作しないため、回転子が回転することもなく安全であり、二重安全構造となる。
【０００９】
よって、より使い勝手の良い電気掃除機の吸込具を提供することである。
【００１０】
【実施例】
以下、本発明の手段による一実施例について図１〜図７に基づいて説明する。１１は、内部に電動送風機、収塵部（図示せず）を内蔵した掃除機本体、５は吸込具本体で延長管１２、ホ−ス１３を介して掃除機本体１１と連通している。１４は電源コ−ドで、ホ−ス１３の内部の導線と結線することにより、掃除機本体１１と吸込具本体５とは電気的に結合されている。
【００１１】
吸込具本体５は、上部ケ−ス１および下部ケ−ス２からなり、下面３に吸込口４を形成ししている。吸込口４に設けたギヤ部１５を備えた回転子６と、このギヤ部１５をベルト１６を介し回転子６を駆動するモ−タ−７を設けている。前記モ−タ−７の回転を制御する切替えスイッチ１７を設け、この切替えスイッチ１７のアクチエ−タ９には、摺動体１８が嵌合されている。この摺動体１８には、ばね１９が設けられておりアクチエ−タ９を前後に摺動させるとばね１９がリブ２１、２２により圧縮されるため、アクチエ−タ９は前後の動作範囲のほぼ中間に位置するようになる。２３は丸棒状のピンであり、摺動体１８に形成した穴２６に上下摺動自在に挿着されており、吸込具本体５を裏返すとピン２３がカバ−２５に形成した穴２４に落下して穴２４と穴２６にそれぞれ嵌合した状態となり、アクチエ−タ９が前後に摺動できなくなる。１０はレバ−であり、軸２７を支点として回動自在に設けられており、アクチエ−タ９に勘合された摺動体１８の円筒部２８にも回動自在に嵌合してレバ−１０を前後に動作させると、アクチエ−タ９は後、前と動作することとなる。また、レバ−１０は下部ケ−ス２の下面３に突出して設け、カ−ペットなどの掃除面に対し吸込具本体５を前進、後進させるとカ−ペットとの接触抵抗によりレバ−１０が第１図の一点鎖線の様に動作する。
【００１２】
このような構成において、吸込具本体５を空中や掃除面上で動作させなかった場合は、アクチエ−タ９、および、レバ−１０は前後の動作範囲のほぼ中間に位置しているため、第５図に示すように切替えスイッチ１７の端子２９が電気的接続がされていないＯＦＦの位置となり、モ−タ−７は回転しない。次に掃除面上で吸込具本体５を前進させると、レバ−１０が後方に回動してアクチエ−タ９が前方に移動し第６図に示すように切替えスイッチ１７の端子２９を介してモ−タ−７に接続され回転子６が回転される。また、吸込具本体５を後進させると、上記と逆に動作し、第７図に示すように切替えスイッチ１７の端子２９を介してモ−タ−７に接続され回転子６が回転する。
【００１３】
次に、レバ−１０の掃除面に接触する部分であるが、この部分は、ゴムなどの弾性体で形成し、この弾性体の吸込具本体５を後進させる際に床面と接する面側３０には、複数の円錐状や山状の突起３１を設けている。これは、じゅうたんの種類によって、特に毛足の長いじゅうたんにおいて吸込具本体５を前進させる際は、手元で押す力が吸込具本体５にもかかり、吸込具本体５を床面に対し押しつける方向に作用するため、レバ−１０に十分な抵抗がかかりレバ−１０の動作性は良いが、吸込具本体５を後進させる際は、手元で引く力が吸込具本体５を床面より浮かす方向の力となりレバ−１０が動作しにくい時があったが、複数の円錐状や山状の突起３１を設けた構成であるため、じゅうたんの毛足にこの突起３１がひっかかりレバ−１０の動作が確実に動作するものである。
【００１４】
この一実施例における動作、作用を説明する。吸込具本体５を空中に持ち上げた際には、切替えスイッチ１７をＯＦＦのポジションなるように構成であるため、掃除していた途中で電話などがかかってきた時、うっかりして吸込具本体５をそのままにしておいても、子供が誤って吸込具本体５を触って床面から上げたときには、自動的に回転子６が停止することとなり回転子６に万一触れても安全である。
【００１５】
また、子供がさらに、吸込具本体５の吸込口４が上に向くように裏返した時でも、切替えスイッチ１７がＯＦＦのポジションでピン２３の作用により機械的にロックされるようにしているため、子供が誤ってレバ−１０を切替えようとしても動作しないため、回転子６が回転することもなく安全であり、二重安全構造となる。
【００１６】
【発明の効果】
このように、本発明は、吸込具本体を空中に持ち上げた際には、切替えスイッチをＯＦＦのポジションになるようにレバーを中間で止まるように規制するバネが１個でよいためバネの制度管理が簡単であっても確実にレバーを中間で停止させることができ、安全性に優れたかつバネが１個のため組立工数、部品費用を半減でき、バネを内装するためのスペースも少ない構成であるため、小さい子供に対しても安全であり、レバ−の動作が確実に動作し、より使い勝手の良い安価で小型の安全性に優れた電気掃除器用吸込具が提供できる。
【図面の簡単な説明】
【図１】本発明の一実施例を示す電気掃除機の吸込具の縦断面図
【図２】同電気掃除機の外観斜視図
【図３】同電気掃除機の吸込具の平面断面図
【図４】同電気掃除機の吸込具の切替えスイッチ部の分解斜視図
【図５】同電気掃除機の吸込具を前進させたときの回路図
【図６】同電気掃除機の吸込具を後進させたときの回路図
【図７】同電気掃除機の吸込具を空中に持ち上げたときの回路図
【図８】従来例を示す電気掃除機の吸込具の縦断面図
【図９】同電気掃除機の吸込具を空中に持ち上げたときの回路図
【図１０】同電気掃除機の吸込具の切替えスイッチ部の分解斜視図
【符号の説明】
１  上部ケ−ス
２  下部ケ−ス
３  下面
４  吸込口
５  吸込具本体
６  回転子
７  モ−タ−
８  スイッチ
９  アクチュエ−タ
１０  レバ−
１１  掃除機本体
１２  延長管
１３  ホース
１４  電源コード
１５  ギヤ部
１６  ベルト
１７  切替えスイッチ
１８  摺動体
１９  バネ
２０  バネ
２１  リブ
２２  リブ
２３  ピン
２４  穴
２５  カバー
２６  穴
２７  軸
２８  円筒部
２９  端子
３０  面側
３１  突起
【図１】
0003572624.tif 000002
【図２】
0003572624.tif 000003
【図３】
0003572624.tif 000004
【図４】
0003572624.tif 000005
【図５】
0003572624.tif 000006
【図６】
0003572624.tif 000007
【図７】
0003572624.tif 000008
【図８】
0003572624.tif 000009
【図９】
0003572624.tif 000010
【図１０】
0003572624.tif 000011